(57)【要約】  予めチャプタ設定を行う必要なく、録画したタイトルの概要をユーザが一目で把握することができ、所望のシーンを即座に選択して再生することができるようにする。録画再生装置では、録画タイトルを表示装置に表示させる際に、１つの録画タイトルを等時間間隔で複数に分割し、その分割点にほぼ相当する位置のサムネイルを時間順に順次生成していき、画面内に並べて一覧にして表示させていくようにする。サムネイル生成には、再生速度を速くするために、分割点に時間的に最も近いＩピクチャのフレームデータを用いる。また各サムネイルには時間情報を表示する。ユーザが任意のサムネイルを選択することで、その部分から録画タイトルを再生させることができる。このような表示により、チャプタ付与等を必要とすることなく、録画タイトル中にどのようなシーンが録画されているのかを一目瞭然で判別することができる。
2009139302.tif 000002
【特許請求の範囲】
【請求項１】
入力映像信号を録画タイトルとして録画する録画手段と、該録画手段が録画した録画タイトルを再生する再生手段と、を備えた録画再生装置において、
録画されている録画タイトルを一覧にした録画タイトル一覧を生成する録画タイトル一覧生成手段と、
該録画タイトル一覧生成手段により生成した録画タイトル一覧を、外部機器として接続された表示手段に出力する表示出力手段と、
前記録画タイトル一覧の表示画面から特定の録画タイトルを選択する操作入力が行われたときに、選択された録画タイトルから、予め定めた数に従う複数枚の画像をサムネイルとして生成し、生成したサムネイルを一覧にした画像を生成するサムネイル画像生成手段とを有し、前記表示出力手段は、該サムネイル画像生成手段により生成したサムネイル画像を前記表示手段に出力することを特徴とする録画再生装置。
【請求項２】
請求項１に記載の録画再生装置において、前記再生手段は、前記サムネイル画像により表示される表示画面に対して特定のサムネイルを選択する操作入力が行われたときに、選択されたサムネイルに相当する位置から録画タイトルの再生を開始することを特徴とする録画再生装置。
【請求項３】
請求項１または２に記載の録画再生装置において、前記サムネイル画像生成手段は、選択された録画タイトルから複数のサムネイルを生成する際に、前記選択された録画タイトルの全時間長を前記予め定めた数に従って等分に分割し、各分割点、もしくは各分割部の始点または終点の画像に基づいて前記サムネイルを生成することを特徴とする録画再生装置。
【請求項４】
請求項３に記載の録画再生装置において、前記サムネイル画像生成手段は、前記サムネイルを、前記分割点の画像に時間的に最も近いフレーム内予測符号化画像に基づいて生成することを特徴とする録画再生装置。
【請求項５】
請求項４に記載の録画再生装置において、前記フレーム内予測符号化画像は、ＭＰＥＧ符号化方式におけるＩピクチャであることを特徴とする録画再生装置。
【請求項６】
請求項１〜５のいずれか１に記載の録画再生装置において、前記サムネイル画像生成手段は、前記複数のサムネイル画像を生成する際に、一枚のサムネイル画像を生成するごとに、該生成したサムネイルを含む画像を前記表示出力手段により出力させることを特徴とする録画再生装置。
【請求項７】
請求項６に記載の録画再生装置において、前記サムネイル画像生成手段が生成した画像は一時バッファに記憶し、該一時バッファから前記表示出力手段により出力されることを特徴とする録画再生装置。
【発明の詳細な説明】
【技術分野】
【０００１】
本発明は、録画再生装置、より詳細には、録画されている録画タイトルの一覧から再生すべき録画タイトルを選択する機能を備えた録画再生装置に関する。
【背景技術】
【０００２】
録画再生装置としてのデジタルレコーダが普及している。従来のデジタルレコーダにおいて、録画したタイトル（録画タイトル）の中からユーザが所望のシーンを視聴しようとする場合、例えば、ユーザは、録画タイトルの再生を開始した後にサーチをしたり、あらかじめチャプタを付与したりしてチャプタリストを表示することで、所望のシーンを視聴するようにしている。
また、従来のデジタルレコーダにおいては、録画タイトルを一覧表示させるときに、各録画タイトルのキャプチャ画面をサムネイルにして、そのサムネイルを一覧表示できるようにしたものがある。そしてユーザは、任意のサムネイルを選択することで、そのサムネイルに相当する録画タイトルを再生させて視聴することができる。【０００３】
録画タイトルのサムネイルを表示する技術に関し、例えば特許文献１には、充分に長いシーンを選択し、そのシーンに対応するサムネイル画像を生成することができるようにした画像記録再生装置が開示されている。画像記録再生装置のシステムコントローラは、タイトルの全体表示時間を均等に４分割し、分割した時間毎にそれぞれ長いシーンを複数抽出する。そして抽出した複数のシーンにおいて、シーンの長さや、特徴点検出器で検出されたサムネイル画像となる特徴点から、サムネイル画像を生成するのに適当と思われるシーンを決定する。さらに、システムコントローラは、決定したシーンから、サムネイル画像となるサムネイル群を選択する。【０００４】
また、特許文献２には、大容量ディスク記憶媒体に記録した映像番組などのコンテンツのタイトル等の管理を容易にし、またユーザのコンテンツ内容の編集に対応して管理情報の変更を可能とすることを目的とした技術が開示されている。ここでは、ディスク記憶媒体の特定の領域に映像番組等のコンテンツのタイトルファイル、内容を示す縮小画面ファイル（サムネイルインデクスファイル）、コンテンツのデータの位置情報等の管理情報をまとめて記録する。そして画像データと音声データとをそれぞれ異なる領域に記録し、音声データの位置情報を画像データとは個別に管理している。
【先行技術文献】
【特許文献】
【０００５】
【特許文献１】特開２００１−２９８７１１号公報
【特許文献２】特開２０００−２３５７８０号公報
【発明の概要】
【発明が解決しようとする課題】
【０００６】
上記のように１つの録画タイトルの中からユーザが所望のシーンを視聴しようとするときに、録画タイトルの再生を開始した後にサーチをしたり、あらかじめチャプタを付与したりしてチャプタリストを表示させる場合には、その操作が煩雑であり、また所望のシーンを視聴できるようにするまでに時間がかかってしまうなどの問題があった。
また、録画タイトルを一覧表示させるときに、各録画タイトルのキャプチャ画面をサムネイルにして、そのサムネイルを一覧表示する場合、各録画タイトルのサムネイルを作成するには、該当する録画タイトルの再生処理が必要であり、再生処理に時間がかかるという問題がある。
また、この場合、一度作成したサムネイルはハードディスクに保存し、２回目からのサムネイル一覧表示においては、ハードディスクに保存しておいたサムネイルを読み出して表示させることで、サムネイル表示の高速化を図っている。しかしながら、その結果、ハードディスクでは、サムネイルデータを保存するための容量が消費されてしまうため、録画可能時間が減ってしまうという問題が生じる。【０００７】
また、特許文献１のように、十分に長いシーンを選択してサムネイル画像を生成したとしても、均等時間分割で画面一杯を活用して表示できるわけではなく、録画タイトル内の一覧性にも優れないという問題があった。
また、特許文献２のように、サムネイルデータをハードディスクに保存するにしても、一度目のサムネイルの作成、及び表示に時間がかかるという問題は残る。【０００８】
本発明は、上述のごとき実情に鑑みてなされたものであり、予めチャプタ設定を行う必要なく、録画したタイトルの概要をユーザが一目で把握することができ、所望のシーンを即座に選択して再生することができるようにした録画再生装置を提供することを目的とするものである。
【課題を解決するための手段】
【０００９】
本発明の第１の技術手段は、入力映像信号を録画タイトルとして録画する録画手段と、録画手段が録画した録画タイトルを再生する再生手段と、を備えた録画再生装置において、録画されている録画タイトルを一覧にした録画タイトル一覧を生成する録画タイトル一覧生成手段と、録画タイトル一覧生成手段により生成した録画タイトル一覧を、外部機器として接続された表示手段に出力する表示出力手段と、録画タイトル一覧の表示画面から特定の録画タイトルを選択する操作入力が行われたときに、選択された録画タイトルから、予め定めた数に従う複数枚の画像をサムネイルとして生成し、生成したサムネイルを一覧にした画像を生成するサムネイル画像生成手段とを有し、表示出力手段は、サムネイル画像生成手段により生成したサムネイル画像を表示手段に出力することを特徴としたものである。【００１０】
第２の技術手段は、第１の技術手段において、サムネイル画像により表示される表示画面に対して特定のサムネイルを選択する操作入力が行われたときに、再生手段が、選択されたサムネイルに相当する位置から録画タイトルの再生を開始することを特徴としたものである。【００１１】
第３の技術手段は、第１または第２の技術手段において、サムネイル画像生成手段が、選択された録画タイトルから複数のサムネイルを生成する際に、選択された録画タイトルの全時間長を予め定めた数に従って等分に分割し、各分割点の画像に基づいてサムネイルを生成することを特徴としたものである。【００１２】
第４の技術手段は、第３の技術手段において、サムネイル画像生成手段が、サムネイルを、分割点の画像に時間的に最も近いフレーム内予測符号化画像に基づいて生成することを特徴としたものである。【００１３】
第５の技術手段は、第４の技術手段において、フレーム内予測符号化画像が、ＭＰＥＧ符号化方式におけるＩピクチャであることを特徴としたものである。【００１４】
第６の技術手段は、第１〜５のいずれか１の技術手段において、サムネイル画像生成手段が、複数のサムネイル画像を生成する際に、一枚のサムネイル画像を生成するごとに、生成したサムネイルを含む画像を表示出力手段により出力させることを特徴としたものである。【００１５】
第７の技術手段は、第６の技術手段において、サムネイル画像生成手段が生成した画像は一時バッファに記憶し、一時バッファから表示出力手段により出力されることを特徴としたものである。
【発明の効果】
【００１６】
本発明によれば、予めチャプタ設定を行う必要なく、録画したタイトルの概要をユーザが一目で把握することができ、所望のシーンを即座に選択して再生することができるようになる。またタイトルから作成したサムネイルをハードディスクに保存しないので、ハードディスクの録画容量をサムネイルに消費することなく、録画容量を有効に使用することができる。
【図面の簡単な説明】
【００１７】
【図１】本発明の一実施形態に係る録画再生装置の構成例を示すブロック図である。
【図２】録画タイトルを複数に分割した分割点におけるサムネイルの表示例を示す図である。
【図３】サムネイル一覧を表示させる際の録画リストの表示画面の一例を示す図である。
【図４】サムネイル一覧を表示させる際の録画リストの表示画面の他の例を示す図である。
【図５】本発明に係る録画再生装置による処理フローの一例を説明するための図である。
【発明を実施するための形態】
【００１８】
図１は、本発明の一実施形態に係る録画再生装置の構成例を示すブロック図である。録画再生装置１０は、チューナ１２と、エンコーダ１３と、外部記録媒体（ＢＤ，ＤＶＤ等）を装着してデータの入出力（書き込み／読み出し）を行う入出力インタフェイス（入出力Ｉ／Ｆ）１４と、装置全体の処理を制御するためのＣＰＵやＲＯＭ等で構成される制御部１５と、デコーダ１６と、ＨＤ（ハードディスク）１７と、リモコン等の操作入力手段からの操作信号を受光する受光部を備えたリモコン受信手段１８と、アンテナ１１を経由して受信したタイトルや録画されたタイトルを外部接続される図示しない表示装置（例えば、ＣＲＴ装置やプラズマ表示装置、液晶表示装置、有機／無機ＥＬ装置などの表示手段）に出力する表示出力手段１９とを備えている。また、表示出力手段１９は、制御部１５の制御によって生成される録画タイトルの一覧や、特定の録画タイトルから生成した複数のサムネイルの一覧などを上記表示装置に出力する。
【００１９】
図１に示す録画再生装置１０は、アナログ放送波とデジタル放送波の両方を受信できる構成を有しているが、いずれか一方の放送波のみを受信できる構成としてもよい。また、録画再生装置１０は、例えば、デジタルチューナ内蔵のハードディスクレコーダもしくはＢＤ（Ｂｌｕ−Ｒａｙ）レコーダやＤＶＤレコーダ、ハードディスク一体型ＢＤレコーダやＤＶＤレコーダ、あるいはデジタルチューナを外部接続可能なハードディスクレコーダもしくはＢＤレコーダやＤＶＤレコーダ、ハードディスク一体型のＢＤレコーダやＤＶＤレコーダなどに用いることができる。また、デジタルチューナを外部接続とした場合にはチューナ１２を不要としてもよい。
【００２０】
また、記録媒体としてＨＤ（ハードディスク）と、ＢＤもしくはＤＶＤの可搬型の記録媒体とを用いることができるが、記録媒体をこれらに限定しているものではなく、タイトルを録画できる全ての記録媒体に応用することが可能である。なお録画タイトルとは、録画した番組データそのものを指すものである。
【００２１】
録画再生装置１０を用いてデジタル放送を視聴する場合、チューナ１２は、アンテナ１１から入力された高周波信号（デジタル変調信号）を復調し、その復調信号をデコーダ１６に入力する。デコーダ１６は、入力された復調信号を映像信号と音声信号に復号した後、その復号信号から表示制御出力信号を生成し、その表示制御出力信号を表示出力手段１９に出力する。表示出力手段１９から出力された表示制御出力信号は、録画再生装置１０に接続されたテレビなどの表示装置に入力され、その表示画面により、ユーザは表示制御出力信号に対応したデジタル放送番組を視聴することができる。
【００２２】
録画再生装置１０を用いてアナログ放送番組を録画する場合、チューナ１２は、アンテナ１１から入力された高周波信号（アナログ変調信号）を復調し、その復調信号をエンコーダ１３により符号化する。更に、符号化したデータを記録に適した形式（ストリーム）に変換してＨＤ１７又はＢＤ等の各種記録媒体に録画タイトルとして録画する。
また、録画再生装置１０を用いてデジタル放送番組を録画する場合、チューナ１２は、アンテナ１１から入力された高周波信号（デジタル変調信号）を復調してＨＤ１７又ＢＤ等の各種記録媒体に録画する。
【００２３】
ＨＤ１７又はＢＤ等に録画されている番組のタイトルを録画再生装置１０により再生する場合、デコーダ１６は、ＨＤ１７又はＢＤ等に記録されている録画タイトルのデータを復号した後、映像出力可能な形式に変換して表示出力手段１９に出力する。表示出力手段１９から出力された表示制御出力信号は、録画再生装置１０に接続されたテレビなどの表示装置に入力され、その表示画面により、ユーザは表示制御出力信号に対応した録画タイトルを視聴することができる。
【００２４】
本発明に係る実施形態では、録画されている録画タイトルから、ユーザが所望のシーンを選択して再生できるようにするために、録画タイトル一覧をテレビ等の表示装置で表示させる表示画面において、１タイトルを複数に分割してそのサムネイルを一覧で表示し、任意のサムネイルをユーザが選択することでそのサムネイルに該当するシーンからタイトルを再生できるようにする。
【００２５】
つまり録画再生装置１０は、入力映像信号を録画タイトルとして録画する録画手段と、その録画手段が録画した録画タイトルを再生する再生手段とを備えていて、録画されている録画タイトルを一覧にした録画タイトル一覧を生成する録画タイトル一覧生成手段と、その録画タイトル一覧生成手段により生成した録画タイトル一覧を、外部機器として接続された表示手段に出力する表示出力手段と、１つの録画タイトルの複数のサムネイルを一覧にした画像を生成するサムネイル画像生成手段とを有している。これら各手段の機能は、録画再生装置１０が保持するプログラムを制御部１５が実行し、装置各部を制御することで実現される。
【００２６】
図２は、録画タイトルを複数に分割した分割点におけるサムネイルの表示例を示す図である。本発明に係る実施形態の特徴として、録画再生装置１０では、録画されている録画タイトルをテレビ等の表示装置に表示させる際に、１つの録画タイトルを等時間間隔で複数に分割し、その分割点にほぼ相当する位置のサムネイルを時間順に順次生成していき、画面内に並べて一覧にして表示させていくようにする。録画タイトルを予め定められた分割数に分割して、サムネイルを一覧にした画像を生成する処理は、制御部１５で所定のプログラムを実行することによって実行される。
【００２７】
このときの分割数としては、例えば２８分割を選ぶことができるが、勿論これに限らず、適宜分割数を設定しておくことができる。２８に分割したときに、例えば、各分割部の始点部分のサムネイルを生成して、２８枚のサムネイルを得るようにしてもよく、あるいは各分割部の終点部分のサムネイルを生成して同じく２８枚のサムネイルを得るようにしてもよく、もしくは分割部の境界部分（分割部）のサムネイルを生成して、計２７枚のサムネイルを得るようにしてもよい。以下では、サムネイルを作成する点を単に分割点として説明する。
【００２８】
上記のように１つの録画タイトルから複数のサムネイルを生成する際に、録画タイトルを当時間間隔で複数（例えば２８）に分割し、その分割点の画像に基づいてサムネイルを生成するが、ここで実際にサムネイルの生成に用いる画像としては、上記の分割点に時間的に最も近いＩピクチャのフレームデータを用いる。
上記のように１つの録画タイトルを複数に分割して、分割部のサムネイルを一覧で表示させる際に、サムネイルの生成速度を速くするためにＭＰＥＧ（Moving Picture Experts Group）にて符号化された各ピクチャ情報のうち、Ｉピクチャについてサムネイルを生成する。サムネイルを生成するＩピクチャは、上記のように分割点に時間的に最も近いＩピクチャを選択するものとする。
【００２９】
Ｉピクチャ、Ｐピクチャ、及びＢピクチャは、周知のようにＭＰＥＧ−Ｖｉｄｅｏにおけるフレームデータを示すものである。ＭＰＥＧ符号化方式は、ノンインタレースのフレーム動画像の符号化に使用され、ＣＤ−ＲＯＭなどの蓄積メディアにて動画像のランダムアクセスを可能としている。そのために、１個のＩピクチャ、複数個のＰピクチャ／Ｂピクチャからなるピクチャグループを１個の単位として符号化データ中に配置し、ピクチャグループ単位での再生を可能としている。
【００３０】
Ｉピクチャは動画像の再生の起点となる画像でありフレーム内予測符号化にて静止画モードにより符号化される。Ｐピクチャは時間的に前のＩピクチャまたはＰピクチャから動き補償フレーム間予測により符号化される。ＢピクチャはＩピクチャとＰピクチャの間、またはＰピクチャとＰピクチャの間に複数個あり、時間的に前（順方向）、または後（逆方向）、または前後（双方向）のピクチャを利用して動き補償フレーム間予測により符号化される。順方向、逆方向、双方向のどのモードを使うかはマクロブロックごとに選択でき、予測差分が最も小さくなるモードが選択される。
【００３１】
すなわち、本実施形態においては、１タイトルを時間方向に複数に分割して、分割部分のサムネイルを一覧で表示させる際に、分割点に最も近いＩピクチャのデータを再生してサムネイルを生成し、生成した各サムネイルを生成順に順次一覧にして表示していく。サムネイルを生成するには、録画タイトルのピクチャデータを再生する必要があるが、上記のようにＩピクチャのデータはそれ自体で１枚の画像を生成できるのに対して、Ｐピクチャ、及びＢピクチャを再生するためにはまずＩピクチャを再生する必要があり、Ｉピクチャのみを再生するよりも時間がかかる。サムネイル生成に際して、常にＩピクチャを用いることにより、再生時間を短縮してサムネイルの生成速度を速くすることができる。
【００３２】
Ｉピクチャを１つ含むＧＯＰ（グループ・オブ・ピクチャ）は、１５枚のピクチャから構成されることから、１秒間に３０フレームの映像では、少なくとも０．５秒以内にＩピクチャが現れる。従って１つの録画タイトルを複数に分割した分割点にほぼ一致する位置でサムネイルを生成することができる。
【００３３】
上記のごとくのサムネイルの一覧表示により、１つの録画タイトル中のどのあたりにどのようなシーンが録画されているのかをユーザが一目瞭然で判別することができる。本発明に係る実施形態の手法によれば、チャプタの一覧表示とは違い、録画タイトルに対して予めチャプタマークを付与しておく必要はない。
【００３４】
また、図２に示すように録画タイトルのサムネイルを一覧で表示する際に、各サムネイルの時間情報Ｔをサムネイルごとに表示させるようにする。例えば、録画タイトルの開始時間を“０（００時間００分００秒）”とし、各サムネイルについて開始点からの経過時間情報を表示させるようにすることができる。制御部１５では、１つの録画タイトルから複数のサムネイルを生成する際に、その分割数に応じて開始時間からの経過時間を計算または取得し、サムネイルと共に表示させるようにする。また、サムネイルに表示する時間情報は、上記のような録画タイトルの開始点からの経過時間ではなく、録画を行ったときの実時間情報を用いるようにしてもよい。このように、録画タイトル中における各サムネイルの時間情報Ｔを表示することで、ユーザビリティを向上させることができる。
【００３５】
そして、サムネイルを一覧表示した画面から、ユーザが所望のサムネイルにフォーカス（カーソル）を移動させて選択することにより、その選択したサムネイルに該当する場面からそのタイトルを再生させることができる。所望のサムネイルにフォーカスを移動させる操作は、例えば、録画再生装置１０を操作するために備えられているリモコンの方向キーを押すことによって実行でき、また、フォーカスを移動したサムネイルを選択して再生を開始させる操作は、リモコンに備えられた決定ボタンや再生ボタンなどを押す操作を行うことにより実行できるようにする。
【００３６】
また、本発明に係る実施形態では、録画タイトルを分割して生成した各サムネイルのデータは、ＨＤに保存することなく、一旦バッファに保持して表示出力手段１９に表示させ、サムネイル一覧の画面が消去された場合には生成したデータも廃棄する。そして再度同じタイトルのサムネイルの生成が指示された場合には、再度同じ処理を繰り返して、その都度サムネイルの一覧を生成する。これにより、ＨＤにサムネイルを保存する必要がなく、ＨＤの記録領域をサムネイルによって消費することを回避することができる。
【００３７】
上記の処理によって、タイトルのサムネイルを作成する際には、分割位置に最も近いＩピクチャを再生してサムネイルを生成し、順に表示していく処理が行われる。つまりタイトル内のサムネイルの生成・表示処理が逐次的に行われていき、画面上では、時間的に速いサムネイルから順番に表示されていくことになる。
例えば、一旦生成したサムネイルをＨＤに保存しておき、そのＨＤからサムネイルを読み出して表示させる従来の処理よりも、本実施形態によるサムネイル表示の方が速度的に劣る場合であっても、本実施形態では、サムネイルを生成する過程をあえてユーザに見せることで、どの時点でどのシーンが記録されているかをよりユーザに認識させることができる、という効果が得られる。
【００３８】
図３及び図４は、上記図２に示すようなサムネイル一覧を表示させる際の録画リストの表示画面の一例を示す図である。
録画再生装置１０に録画されているタイトルのリストを表示させる場合、例えば、ユーザは、録画再生装置１０を操作するためのリモコンに備えられた録画リストボタンを押すことにより、録画再生装置１０の録画リストを表示させることができる。勿論、録画リストの表示は、このような専用ボタンに限ることなく、特定のメニュー操作や、特定のキー操作によって実行させるようにしてもよい。
【００３９】
録画リストの画面例として、図３に示すようなタイトル名リストを用いた録画リスト画面２０を表示させることができる。ここでは、現在録画再生装置１０のＨＤに録画されている録画タイトルのタイトル名リスト２１が表示される。タイトル名リスト２１の各タイトルには、タイトル名２１ａ、月日と曜日情報２１ｂ、録画時間情報２１ｃ、画質情報２１ｄが示される。また、カーソルが位置する録画タイトルについて、その詳細情報２２が表示される。詳細情報２２は、カーソルの移動に伴って変化する。また、録画タイトルは新しい（もしくは古い）順、タイトル名順、視聴／未視聴別、データ量順などの条件に従って並べ換えることもできる。また、録画リスト画面２０には、リモコンに備えられたボタンの説明２３なども表示されている。
【００４０】
録画リストの他の画面例として、図４に示すようなインデックス画面（サムネイル）を用いた録画リスト画面３０を表示させるようにすることもできる。この録画リスト画面３０では、各録画タイトルの最初の画面をキャプチャしたインデックス画面（サムネイル画面）を生成して、タイトルごとのインデックス画面一覧３１を表示させる。これにより録画タイトルの内容を把握しやすくしている。この場合のインデックス画面は、録画タイトルごとに生成してＨＤに保持させておくものである。
【００４１】
カーソルが位置する録画タイトルについては、その詳細情報３２が表示される。詳細情報３２は、カーソルの移動に伴って変化する。また、録画タイトルは新しい（もしくは古い）順、タイトル名順、視聴／未視聴別、データ量順などの条件に従って並べ換えることもできる。また、録画リスト画面３０には、リモコンに備えられたボタンの説明３３なども表示されている。
【００４２】
これら図３及び図４の録画リスト画面２０，３０は、リモコン等の特定の操作に応じて切換表示させるようにしてもよく、常にいずれか一方の録画リスト画面２０，３０を表示させるものであってもよい。
【００４３】
そして、上記の録画リスト画面２０，３０のいずれかから、ユーザがカーソルを移動させて特定のタイトルを選択することにより、図２に示したごとくの選択タイトルのサムネイル表示が実行される。録画リスト２０，３０におけるタイトルの選択は、例えば、リモコンに備えられた特定のキーの操作により実行させることができる。
また、特定のタイトル上にカーソルがある状態で、上記の特定のキー操作ではなく、例えば決定キーを操作することにより、図２に示すサムネイル表示ではなく、選択中のタイトルの再生を開始させるようにすることもできる。
【００４４】
図５は、本発明に係る録画再生装置による処理フローの一例を説明するための図である。ここでは、録画再生装置におけるアプリケーションモジュールと再生モジュールにおける処理を示している。アプリケーションモジュール及び再生モジュールは、録画再生装置１０で本実施形態に係わる処理を実行するソフトウェアモジュールである。ハードウェアとしては、図１に示す制御部１５の制御によって実行される処理となる。以下の例では、一時間の長さを持つタイトルについてサムネイル表示を行うときの処理例を説明する。
【００４５】
まずユーザが、録画再生装置のリモコン等の操作入力手段を操作して、特定の録画タイトルのサムネイル一覧を表示するように要求する（ステップＳ１）。録画タイトルのサムネイル一覧表示の要求は、例えば上記図３または図４に示すような録画リスト画面２０，３０から、ユーザ操作によって任意のタイトルが選択され、特定の操作によってそのタイトルのサムネイル一覧表示が指示されることにより実行される。
【００４６】
そして、アプリケーションモジュールでは、選択された録画タイトルのサムネイルの一覧表示を開始する（ステップＳ２）。ここではまず、サムネイルを表示するための枠のみを表示し、サムネイル表示は未表示とする。サムネイルを表示するための表示画面は、録画記録装置の表示出力手段１９から出力され、テレビ等の表示装置で表示される。以下のサムネイル生成時も同様である。
アプリケーションモジュールでは、再生モジュールに対して時間を指定して再生要求を行う（ステップＳ３）。ここではまず１枚目のサムネイルであるため、アプリケーションモジュールでは、“００時間００分００秒”を指定して再生モジュールに再生要求を行う。
【００４７】
これを受けて再生モジュールでは、アプリケーションモジュールにより指定された指定時間（この場合“００時間００分００秒”）に一番近いＩピクチャを再生する（ステップＳ４）。再生が完了すると、再生モジュールはアプリケーションモジュールに対して再生完了通知を送る（ステップＳ５）。アプリケーションモジュールでは、再生されたＩピクチャによりサムネイルの１枚目を表示する（ステップＳ６）。ここではステップＳ２で表示した枠内に、サムネイルの１枚目を表示させる。
【００４８】
次いで、アプリケーションモジュールでは、サムネイルの２枚目の表示をするための時間を指定して再生要求を再生モジュールに送る（ステップＳ７）。ここでは録画タイトルの全長が１時間であり、２８枚のサムネイルを表示するように設定されているため、アプリケーションモジュールで指定する２枚目の時間情報は“００時間０２分０８秒”となる。
これを受けて再生モジュールでは、アプリケーションモジュールにより指定された指定時間に一番近いＩピクチャを再生する（ステップＳ８）。再生が完了すると、再生モジュールはアプリケーションモジュールに対して再生完了通知を送る（ステップＳ９）。そしてアプリケーションモジュールでは、再生されたＩピクチャによりサムネイルの２枚目を表示する（ステップＳ１０）。２枚目のサムネイルは、ステップＳ６で表示した１枚目のサムネイルに隣接して枠内に表示させる。
【００４９】
アプリケーションモジュールでは、上記と同様に、サムネイルの３枚目の表示をするための時間を指定して再生要求を再生モジュールに送る（ステップＳ１１）。アプリケーションモジュールで指定する３枚目の時間情報は“００時間０４分１７秒”となる。再生モジュールでは、アプリケーションモジュールにより指定された指定時間に一番近いＩピクチャを再生する（ステップＳ１２）。再生が完了すると、再生モジュールはアプリケーションモジュールに対して再生完了通知を送る（ステップＳ１３）。アプリケーションモジュールでは、再生されたＩピクチャによりサムネイルの３枚目を表示する（ステップＳ１４）。３枚目のサムネイルは、ステップＳ１０で表示した２枚目のサムネイルに隣接して枠内に表示させる。
【００５０】
そして、上記と同様の処理を繰り返し、アプリケーションモジュールからの２８枚目のサムネイルの時間（００時間５７分５１秒）を指定した再生要求（ステップＳ１５）に対して、再生モジュールでは、その指定時間に一番近いＩピクチャを再生し（ステップＳ１６）、再生完了通知を通知すると（ステップＳ１７）、アプリケーションモジュールでは、サムネイルの２８枚目を表示する（ステップＳ１８）。こうして図２に示すような、特定タイトルのサムネイル一覧表示が完成する。
【００５１】
この後、特定のサムネイルに対する選択操作があれば、再生モジュールでは、選択されたサムネイルに該当するピクチャデータからそのタイトルの再生処理を実行する。
【符号の説明】
【００５２】
１０…録画再生装置、１１…アンテナ、１２…チューナ、１３…エンコーダ、１４…入出力Ｉ／Ｆ、１５…制御部、１６…デコーダ、１７…ＨＤ、１８…リモコン受信手段、１９…表示出力手段、２０…録画リスト画面、２１…タイトル名リスト、２１ａ…タイトル名、２１ｂ…曜日情報、２１ｃ…録画時間情報、２１ｄ…画質情報、２２…詳細情報、２３…ボタンの説明、３０…録画リスト画面、３１…インデックス画面一覧、３２…詳細情報、３３…ボタンの説明。
【図１】
2009139302.tif 000003
【図２】
2009139302.tif 000004
【図３】
2009139302.tif 000005
【図４】
2009139302.tif 000006
【図５】
2009139302.tif 000007
【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
入力映像信号を録画タイトルとして録画する録画手段と、該録画手段が録画した録画タイトルを再生する再生手段と、を備えた録画再生装置において、
録画されている録画タイトルを一覧にした録画タイトル一覧を生成する録画タイトル一覧生成手段と、
該録画タイトル一覧生成手段により生成した録画タイトル一覧を、外部機器として接続された表示手段に出力する表示出力手段と、
前記録画タイトル一覧の表示画面から特定の録画タイトルを選択する操作入力が行われたときに、選択された録画タイトルから、予め定めた数に従う複数枚の画像をサムネイルとして生成し、生成したサムネイルを一覧にした画像を生成するサムネイル画像生成手段とを有し、前記表示出力手段は、該サムネイル画像生成手段により生成したサムネイル画像を前記表示手段に出力し、
前記サムネイル画像生成手段は、選択された録画タイトルから複数のサムネイルを生成する際に、前記選択された録画タイトルの全時間長を前記予め定めた数に従って等分に分割し、各分割点、もしくは各分割部の始点または終点の画像に基づいて前記サムネイルを生成することを特徴とする録画再生装置。
【請求項２】
請求項１に記載の録画再生装置において、前記再生手段は、前記サムネイル画像により表示される表示画面に対して特定のサムネイルを選択する操作入力が行われたときに、選択されたサムネイルに相当する位置から録画タイトルの再生を開始することを特徴とする録画再生装置。
【請求項３】
請求項１または２に記載の録画再生装置において、前記サムネイル画像生成手段は、前記サムネイルを、前記分割点の画像に時間的に最も近いフレーム内予測符号化画像に基づいて生成することを特徴とする録画再生装置。
【請求項４】
請求項３に記載の録画再生装置において、前記フレーム内予測符号化画像は、ＭＰＥＧ符号化方式におけるＩピクチャであることを特徴とする録画再生装置。
【請求項５】
請求項１〜４のいずれか１に記載の録画再生装置において、前記サムネイル画像生成手段は、前記複数のサムネイル画像を生成する際に、一枚のサムネイル画像を生成するごとに、該生成したサムネイルを含む画像を前記表示出力手段により出力させることを特徴とする録画再生装置。
【請求項６】
請求項５に記載の録画再生装置において、前記サムネイル画像生成手段が生成した画像は一時バッファに記憶し、該一時バッファから前記表示出力手段により出力されることを特徴とする録画再生装置。
【手続補正２】
【補正対象書類名】明細書
【補正対象項目名】０００３
【補正方法】変更
【補正の内容】
【０００３】
まうという問題が生じる。
［０００７］
また、特許文献１のように、十分に長いシーンを選択してサムネイル画像を生成したとしても、均等時間分割で画面一杯を活用して表示できるわけではなく、録画タイトル内の一覧性にも優れないという問題があった。
また、特許文献２のように、サムネイルデータをハードディスクに保存するにしても、一度目のサムネイルの作成、及び表示に時間がかかるという問題は残る。
［０００８］
本発明は、上述のごとき実情に鑑みてなされたものであり、予めチャプタ設定を行う必要なく、録画したタイトルの概要をユーザが一目で把握することができ、所望のシーンを即座に選択して再生することができるようにした録画再生装置を提供することを目的とするものである。
課題を解決するための手段
［０００９］
本発明の第１の技術手段は、入力映像信号を録画タイトルとして録画する録画手段と、録画手段が録画した録画タイトルを再生する再生手段と、を備えた録画再生装置において、録画されている録画タイトルを一覧にした録画タイトル一覧を生成する録画タイトル一覧生成手段と、録画タイトル一覧生成手段により生成した録画タイトル一覧を、外部機器として接続された表示手段に出力する表示出力手段と、録画タイトル一覧の表示画面から特定の録画タイトルを選択する操作入力が行われたときに、選択された録画タイトルから、予め定めた数に従う複数枚の画像をサムネイルとして生成し、生成したサムネイルを一覧にした画像を生成するサムネイル画像生成手段とを有し、表示出力手段は、サムネイル画像生成手段により生成したサムネイル画像を表示手段に出力し、サムネイル画像生成手段が、選択された録画タイトルから複数のサムネイルを生成する際に、選択された録画タイトルの全時間長を予め定めた数に従って等分に分割し、各分割点の画像に基づいてサムネイルを生成することを特徴としたものである。
［００１０］
第２の技術手段は、第１の技術手段において、サムネイル画像により表示される表示画面に対して特定のサムネイルを選択する操作入力が行われたときに、再生手段が、選択されたサムネイルに相当する位置から録画タイトルの再生を開始することを特徴としたものである。
［００１１］
【手続補正３】
【補正対象書類名】明細書
【補正対象項目名】０００４
【補正方法】変更
【補正の内容】
【０００４】
［００１２］
第３の技術手段は、第１または２の技術手段において、サムネイル画像生成手段が、サムネイルを、分割点の画像に時間的に最も近いフレーム内予測符号化画像に基づいて生成することを特徴としたものである。
［００１３］
第４の技術手段は、第３の技術手段において、フレーム内予測符号化画像が、ＭＰＥＧ符号化方式におけるＩピクチャであることを特徴としたものである。
［００１４］
第５の技術手段は、第１〜４のいずれか１の技術手段において、サムネイル画像生成手段が、複数のサムネイル画像を生成する際に、一枚のサムネイル画像を生成するごとに、生成したサムネイルを含む画像を表示出力手段により出力させることを特徴としたものである。
［００１５］
第６の技術手段は、第５の技術手段において、サムネイル画像生成手段が生成した画像は一時バッファに記憶し、一時バッファから表示出力手段により出力されることを特徴としたものである。
発明の効果
［００１６］
本発明によれば、予めチャプタ設定を行う必要なく、録画したタイトルの概要をユーザが一目で把握することができ、所望のシーンを即座に選択して再生することができるようになる。またタイトルから作成したサムネイルをハードディスクに保存しないので、ハードディスクの録画容量をサムネイルに消費することなく、録画容量を有効に使用することができる。
図面の簡単な説明
［００１７］
［図１］本発明の一実施形態に係る録画再生装置の構成例を示すブロック図である。
［図２］録画タイトルを複数に分割した分割点におけるサムネイルの表示例を示す図である。
【国際調査報告】
2009139302.tif 000008
2009139302.tif 000009
2009139302.tif 000010
2009139302.tif 000011